(57)【要約】【目的】  螺子の脱落防止を施すことによる螺子挿通状態のまま気密性検査が行える収容ケースの気密性検査方法及び収容ケースを提供する。【構成】  気密性検査時には、４本のうちの３本の長螺子４については裏蓋の螺子穴に対する完全な螺合状態とし、一つの長螺子４についてのみ非螺合状態とする（長螺子４の先端には抜け防止が施されており、離脱はできない）。この非螺合状態ではＯリング付きの座金６が前蓋部２１から十分に離間し、収容ケース２内は螺子挿通穴２１ａと長螺子４との間の隙間を介して外部に対して連通状態となる。そして、この状態でノズル４３の先端輪状部を螺子挿通穴２１ａの周囲部に圧接させる。前記ノズル４３を介して収容ケース２内の空気を吸引することで気密性検査が行える。【選択図】        図５
2005172635.tif 000002
【特許請求の範囲】
【請求項１】
第１のケース構成部に形成された複数の螺子挿通穴の各々に螺子が挿通され、前記螺子の頭部側にはシール部材が装着され且つ先端近傍箇所には抜け防止部材が装着されており、前記複数の螺子の先端がそれぞれ第２のケース構成部の螺子穴に螺合されることで両ケース構成部が相互装着される構造を有した収容ケースの気密性検査方法であって、前記複数の螺子のうちの一つを非螺合状態にし、当該一つの螺子の螺子挿通穴に連通するようにノズルを前記第１のケース構成部に密着させ、前記螺子と螺子挿通穴との隙間を通して空気の供給又は吸引を行うことを特徴とする収容ケースの気密性検査方法。
【請求項２】
請求項１に記載の収容ケースの気密性検査方法において、前記収容ケースを設置台上にクランプし、可動に設けられた前記ノズルを前記第１のケース構成部に対して密着させる状態と離脱させる状態とを形成することを特徴とする収容ケースの気密性検査方法。
【請求項３】
請求項１又は請求項２に記載の収容ケースの気密性検査方法において、前記収容ケース内に被収容機器を収容した状態で検査を行うことを特徴とする収容ケースの気密性検査方法。
【請求項４】
第１のケース構成部に形成された複数の螺子挿通穴の各々に螺子が挿通され、前記螺子の頭部側にはシール部材が装着され且つ先端近傍箇所には抜け防止部材が装着されており、前記複数の螺子の先端がそれぞれ第２のケース構成部の螺子穴に螺合されることで両ケース構成部が相互装着される構造を有すると共に、非螺合状態の頭部側突出量が他の螺子における非螺合状態の頭部側突出量よりも大となる螺子を存在させる構造を有したことを特徴とする収容ケース。
【請求項５】
請求項４に記載の収容ケースにおいて、前記第１のケース構成部は、蓋部と胴体部とから成り、前記胴体部に形成された複数のリブの各々に前記螺子挿通穴が形成されており、他のリブよりも短くて第２のケース構成部に対する離間幅が大であるリブを存在させたことを特徴とする収容ケース。
【発明の詳細な説明】
【技術分野】
【０００１】
この発明は、収容ケースの気密性検査方法及び収容ケースに関する。
【背景技術】
【０００２】
従来より、防水ケースの防水性を検査する方法が提案されている（特許文献１参照）。また、監視カメラを収容する収容ケースの気密性検査方法として、図６に示すように、真空槽５２を用いる方法が考えられる。この方法では、収容ケースセット５１全体を真空槽５２内に入れる。真空槽５２内を減圧すると、収容ケースセット５１における収容ケース５１Ａの気密性が不十分である場合には収容ケース５１Ａ内の空気が真空槽５２内に漏れ出ることになる。
【０００３】
収容ケースセット５１は、前記収容ケース５１Ａとアーム部５１Ｂと取付部５１Ｃとから成る。前記収容ケース５１Ａは、前蓋部５１ａと胴体部５１ｂと裏蓋部５１ｃとから成る。前蓋部５１ａには螺子挿通穴５３（図７参照）が４カ所形成されている。胴体部５１ｂには前記４カ所の螺子挿通穴５３…の位置に対応してリブが形成されており、このリブにも螺子挿通穴が形成されている。裏蓋部５１ｃには前記４カ所のリブの位置に対応して螺子穴が形成されている。４本の長螺子が前蓋部５１ａの螺子挿通穴から胴体部５１ｂの螺子挿通穴に通され、裏蓋部５１ｃの螺子穴に螺合されることで、これら前蓋部５１ａと胴体部５１ｂと裏蓋部５１ｃとが相互固定される。
【０００４】
また、図７に示すように、前蓋部５１ａに形成された螺子挿通穴５３の一つを利用する方法も考えられる。具体的には、この螺子挿通穴５３に装着されるべき長螺子を外した上で当該螺子挿通穴５３にノズル５４を押圧接触させることで収容ケース５１Ａ内を図示しない吸引ポンプに連通させ、収容ケース５１Ａ内の空気を吸引する方法である。
【特許文献１】特開平５−１９６５３６号公報
【発明の開示】
【発明が解決しようとする課題】
【０００５】
しかしながら、前記図６に示した方法では、収容ケース５１Ａの容積に比べて真空槽５２の容積がとても大きくなってしまい、真空槽５２の圧力変動にて収容ケース５１Ａからの微量な空気漏れを正確に判定することは困難である。また、図７に示した方法では、収容ケース５１Ａの気密性について正確な検査が行えるものの、この検査後に長螺子を装着するとき、その脱落防止を図るには接着剤による固定を行う必要がある。しかし、接着を行うと長螺子を外すことが困難になり、監視カメラの修理等において不都合となる。また、リークテスト専用の穴を設けるとすると、コスト高になる。
【０００６】
この発明は、上記の事情に鑑み、螺子の脱落防止を施すことによる螺子挿通状態のまま螺子挿通穴を利用した気密性検査が行える収容ケースの気密性検査方法及び収容ケースを提供することを目的とする。
【課題を解決するための手段】
【０００７】
この発明の収容ケースの気密性検査方法は、上記の課題を解決するために、第１のケース構成部に形成された複数の螺子挿通穴の各々に螺子が挿通され、前記螺子の頭部側にはシール部材が装着され且つ先端近傍箇所には抜け防止部材が装着されており、前記複数の螺子の先端がそれぞれ第２のケース構成部の螺子穴に螺合されることで両ケース構成部が相互装着される構造を有した収容ケースの気密性検査方法であって、前記複数の螺子のうちの一つを非螺合状態にし、当該一つの螺子の頭部を収容して当該螺子用の螺子挿通穴に連通するようにノズルを前記第１のケース構成部に密着させ、前記螺子と螺子挿通穴との隙間を通して空気の供給又は吸引を行うことを特徴とする。
【０００８】
上記の構成であれば、前記螺子の先端近傍箇所に抜け防止部材が装着されたことによる当該螺子の螺子挿通穴内存在状態のまま螺子挿通穴を利用した気密性検査が行えることになる。
【０００９】
上記収容ケースの気密性検査方法において、前記収容ケースを設置台上にクランプし、可動に設けられた前記ノズルを前記第１のケース構成部に対して密着させる状態と離脱させる状態とを形成するようにしてもよい。また、前記収容ケース内に被収容機器を収容した状態で検査を行うようにしてもよい。
【００１０】
また、この発明の収容ケースは、第１のケース構成部に形成された複数の螺子挿通穴の各々に螺子が挿通され、前記螺子の頭部側にはシール部材が装着され且つ先端近傍箇所には抜け防止部材が装着されており、前記複数の螺子の先端がそれぞれ第２のケース構成部の螺子穴に螺合されることで両ケース構成部が相互装着される構造を有すると共に、非螺合状態の頭部側突出量が他の螺子における非螺合状態の頭部側突出量よりも大となる螺子を存在させる構造を有したことを特徴とする。
【００１１】
上記の構成であれば、非螺合状態の頭部側突出量が他の螺子における非螺合状態の頭部側突出量よりも大となる螺子を存在させるので、螺子の螺子挿通穴内存在状態のまま螺子挿通穴を利用して収容ケース内の空気の吸引したり或いは空気を供給することが容易となる。
【００１２】
上記収容ケースにおいて、前記第１のケース構成部は、蓋部と胴体部とから成り、前記胴体部に形成された複数のリブの各々に前記螺子挿通穴が形成されており、他のリブよりも短くて第２のケース構成部に対する離間幅が大であるリブを存在させるのがよい。
【発明の効果】
【００１３】
この発明の収容ケースの気密性検査方法によれば、螺子の脱落防止を施すことによる螺子挿通状態のまま螺子挿通穴を利用した気密性検査が行える。また、この発明の収容ケースであれば、非螺合状態の頭部側突出量が他の螺子における非螺合状態の頭部側突出量よりも大となる螺子を存在させる構造を有するので、前記気密性検査が容易になるという効果を奏する。
【発明を実施するための最良の形態】
【００１４】
以下、この発明の実施形態における収容ケースの気密性検査方法及び収容ケースを図１乃至図５に基づいて説明する。
【００１５】
図１は監視カメラが収容された収容ケースセット１の気密性検査の様子を示した説明図である。収容ケースセット１は、収容ケース２とアーム部３１と取付部３２とから成る。前記収容ケース２は、前蓋部２１と胴体部２２と裏蓋部２３とから成る。この収容ケース２は検査台４１上にクランプ４２によって固定される。検査台４１にはソレノイドアクチュエータ４４が設けられており、このソレノイドアクチュエータ４４によってノズル４３が水平方向に移動される。前記ノズル４３は前蓋部２１に形成されている４つの螺子挿通穴２１ａ（図４参照）のうちの一つが位置する箇所に押圧接触され、この押圧接触状態で図示しない吸引ポンプを作動させて収容ケース２内の空気を抜き取り、圧力変動に基づいて気密性検査を行う。
【００１６】
図２は収容ケース２の縦断側面図であり、図３（ａ）は胴体部２２の背面図であり、図３（ｂ）は裏蓋部２３の背面図である。また、図４は前蓋部２１の斜視図である。前蓋部２１の中央にはガラス窓２１ｂが設けられている。収容ケース２の胴体部２２には前蓋部２１の４カ所の螺子挿通穴２１ａ…の位置に対応してリブが形成されており、各リブには螺子挿通穴２２ａが形成されている。裏蓋部２３には前記４カ所の螺子挿通穴２２ａの位置に対応して螺子穴２３ａが形成されている。長螺子４が前蓋部２１の螺子挿通穴２１ａから胴体部２２の螺子挿通穴２２ａに通され、裏蓋部２３の螺子穴２３ａに螺合されることで、これら前蓋部２１と胴体部２２と裏蓋部２３とが相互固定される。前記裏蓋部２３には、収容ケース２内に収容された監視カメラのケーブルが引き出されるガスケットが設けられると共に前記アーム部３が連結される。
【００１７】
前記螺子挿通穴２１ａから螺子挿通穴２２ａ内に通されている長螺子４の先端近傍には抜け留めリング５が設けられている。抜け留めリング５は、長螺子４の螺子部径に合致した穴を有すると共に当該穴に達する切込を有しており、長螺子４に螺合位置保持できるように構成されている。抜け留めリング５は前記リブに形成された螺子挿通穴２２ａよりも大径であり、長螺子４の抜けが防止される。４つのリブのうち一つは他のリブよりも短め形成されており、そのリブ奥端と裏蓋部５３の螺子穴との離間距離が大きくされている（図２においてαの間隔が確保されている）。従って、この短リブの螺子挿通穴２２ａに挿通されている長螺子４は、他の長螺子４よりも頭部側突出量を多く確保できる。
【００１８】
図５（ａ）は前記長螺子４の頭部側突出時の様子を示している。一方、長螺子４の先端部が螺子穴２３ａに完全に螺合された状態では、図５（ｂ）に示しているように、長螺子４の頭部は前蓋部２１の凹部２１ｂに収容された状態となり、この状態で前述した前蓋部２１と胴体部２２と裏蓋部２３との相互固定状態が得られる。長螺子４の頭部裏面にはＯリング（シール部材）付きの座金６が設けられており、前記相互固定状態では、前記Ｏリング付きの座金６によって螺子挿通穴２１ａ（収容ケース２内）は外部に対して遮蔽される。その一方、同図（ａ）の頭部側突出状態では、Ｏリング付きの座金６は前蓋部２１から離間し、収容ケース２内は螺子挿通穴２１ａと長螺子４との間の隙間を介して外部に連通する状態となる。気密性検査時には、３本の長螺子４については完全な螺合状態とし、前記短リブに挿入されている一つの長螺子４については前記の連通状態を確保してノズル４３を前蓋部２１に押圧接触させる。このとき、ノズル４３内に頭部側突出状態の長螺子４の頭部が収容されると共に、ノズル４３の先端輪状部が螺子挿通穴２１ａの周囲部に圧接され、前記ノズル４３を介して収容ケース２内が図示しない吸引ポンプに連通されることになる。
【００１９】
上記のごとく、収容ケース２において、前記長螺子４の先端近傍には抜け留めリング５が設けられており、例えばメンテナンス時などに長螺子４を緩めたときでも、この長螺子４が収容ケース２から脱落してしまうのを防止することができる（脱落は前蓋部が下方に向いているときに生じやすい）。そして、このような離脱防止機能を確保しつつ、他のリブよりも短いリブを設けて当該リブに装着される長螺子４において頭部側突出量を多く確保し、Ｏリング付きの座金６が前蓋部２１から離間するのを容易にしたので、気密性検査時の収容ケース２内への連通確保を確実に実現することができる。
【００２０】
そして、上述した収容ケースの気密性検査方法においては、一つの長螺子４について頭部側突出状態を形成させ、その頭部をノズル４３内に収容させてノズル４３の先端輪状部を螺子挿通穴２１ａの周囲部に密着させるので、脱落防止による長螺子収容状態のまま気密性検査が行えることになる。
【００２１】
ここで、上記例では、他のリブよりも短いリブが設けられた収容ケースについて気密性検査を行う例を示したが、これに限定されるものではなく、複数のリブの長さが同じである場合でも、螺子の頭部側突出状態（Ｏリング付きの座金６の前蓋部２１に対する離間状態）を確保できるならば、同じように気密性検査を行うことができる。すなわち、収容ケースの気密性検査方法については、短リブの存在は必須ではない。
【００２２】
また、上記の気密性検査方法では、図１に示したごとく、アーム部３１及び取付部３２を装着した状態で収容ケース２の気密性検査を行ったが、監視カメラを収容した収容ケース２単体で気密性検査を行った後にアーム部３１及び取付部３２を取り付けるようにしてもよい。また、吸引ではなく、収容ケース２内に空気を供給してリークテストを行ってもよい。また、監視カメラが収容される収容ケース及びその気密性検査を示したが、監視カメラ以外の機器を収容する収容ケース及びその気密性検査にも本願発明を適用できるものである。
【図面の簡単な説明】
【００２３】
【図１】この発明の実施形態の収容ケースの気密性検査方法が行われる様子を示した斜視図である。
【図２】この発明の実施形態の収容ケースの断面図である。
【図３】同図（ａ）は収容ケースの胴体部の背面図であり、同図（ｂ）は収容ケースの裏蓋部の背面図である。
【図４】収容ケースの前蓋部の斜視図である。
【図５】同図（ａ）は長螺子の頭部側突出時（ノズル装着による検査時）の前蓋部の断面図であり、同図（ｂ）は長螺子の完全螺合時の前蓋部の断面図である。
【図６】真空槽を用いる従来の気密性検査方法を示した説明図である。
【図７】長螺子を離脱させた状態で螺子挿通穴を利用して行う従来の気密性検査方法を示した説明図である。
【符号の説明】
【００２４】
１    収容ケースセット
２    収容ケース
２１  前蓋部
２１ａ螺子挿通穴
２２  胴体部
２２ａ螺子挿通穴
２３  裏蓋部
２３ａ螺子穴
３１  アーム部
３２  取付部
４    長螺子
４３  ノズル
【図１】
2005172635.tif 000003
【図２】
2005172635.tif 000004
【図３】
2005172635.tif 000005
【図４】
2005172635.tif 000006
【図５】
2005172635.tif 000007
【図６】
2005172635.tif 000008
【図７】
2005172635.tif 000009